(57)【要約】【課題】ターミナルカバーの取付作業の向上と、ターミナルフェンスに対する嵌合係止部で隙間が生じないようにした電動圧縮機のターミナル保護部材を提供する。【解決手段】電動圧縮機の密閉容器９に装着したターミナル３を貫通固定させて蓋体９ａに取り付けたターミナルフェンス１と、このターミナルフェンス１に嵌着するターミナルカバー２とで保護部材が構成される。ターミナルフェンス１の側部に立ち上げて形成した複数の受止片４等の内側にターミナルカバー２の側壁部分２ａを嵌着すると共に、ターミナルフェンス１の端部に立ち上げて形成した係止片７、８の係合孔７ａ、８ａに突起２ｂ、２ｃをそれぞれ嵌合係止する。前記側壁部分２ａの外側に突起部１２が設けられると共に、下端部に内向きに傾斜する傾斜面１３が形成される。この側壁部分２ａは、ターミナルフェンス１の受止片４等に嵌合した際に受止片４等との間に隙間が生じないと共に、下端がターミナルフェンス１の基板上面に当接する。【選択図】図１
2010013984.tif 000002
【特許請求の範囲】
【請求項１】
電動機構部と、この電動機構部により作動される圧縮機構部とを収納した密閉容器に、前記電動機構部へ通電するためのターミナルが装着され、当該ターミナルの外部電気接続部を保護するためにターミナルフェンスと、このターミナルフェンスに嵌着するターミナルカバーとからなる保護部材が取り付けられた電動圧縮機において、前記ターミナルカバーは、前記ターミナルフェンスに立ち上げた受止片の内側に嵌合係止する側壁部分を備えており、この側壁部分の外側下端部に内向きに傾斜する傾斜面が形成されたことを特徴とする電動圧縮機のターミナル保護部材。
【請求項２】
前記ターミナルカバーの側壁部分は、ターミナルフェンスの受止片に嵌合した際に生じる隙間を閉塞するための突起部が設けられ、この突起部の下方に前記傾斜面が形成されたことを特徴とする請求項１に記載の電動圧縮機のターミナル保護部材。
【請求項３】
前記ターミナルカバーの側壁部分は、前記ターミナルフェンスの受止片に嵌合係止した際に下端縁がターミナルフェンスの基板上面に当接するように形成されたことを特徴とする請求項１又は２に記載の電動圧縮機のターミナル保護部材。
【発明の詳細な説明】
【技術分野】
【０００１】
本発明は、電動圧縮機に係るもので、特に密閉容器に装着したターミナルを保護する保護部材の改良に関する。
【背景技術】
【０００２】
一般に、電動圧縮機は密閉容器内に電動機構部と、この電動機構部により作動される圧縮機構部とが収納され、当該密閉容器にはターミナルが装着され、このターミナルを介して前記電動機構部に通電して圧縮機構部を作動させる。そして、導入管により圧縮機構部に気体（通常は冷媒）を導入して圧縮すると共に、密閉容器内に吐出された高圧気体を吐出管により外部に取り出すようにしてある。
【０００３】
前記ターミナルは、密閉容器外に位置している外部電極に電源からのコード端子が接続されるため、当該電気接続部が外部に露出してしまう。このように電気接続部が外部に露出していると、塵や埃が付着し或は水分が付着して絶縁性の低下や通電不良等を引き起こすことがある。
【０００４】
このような事態に対処するために、従来ターミナルの外部電気接続部を保護するようにした技術が特許文献１、２等に開示されている。
【特許文献１】特開２００８−７５５４７
【特許文献２】特開２００６−２２００００
【発明の開示】
【発明が解決しようとする課題】
【０００５】
図６に示すように鋼板製のターミナルフェンス１と、このターミナルフェンス１に弾性的に嵌着する合成樹脂製のターミナルカバー２とからなる保護部材でターミナル３を保護する場合は、ターミナルフェンス１の側部に立ち上げて形成された複数の受止片４、５、６の内側にターミナルカバー２の側壁部分２ａを嵌着すると共に、ターミナルフェンス１の端部に対設した係止片７、８の係合孔７ａ、８ａにターミナルカバー２の端壁の下部に形成した突起２ｂ、２ｃをそれぞれ嵌合係止することによりターミナルカバー２を取り付ける構成になっている。
【０００６】
しかしながら、上記ターミナルフェンス１にターミナルカバー２を落とし込んで嵌着する際には、図８（ａ）に示すようにターミナルカバー２の側壁部分２ａの下端がターミナルフェンス１の受止片４等（受止片５、６を含む、以下同じ）の上端にぶつかって取付作業性が低下する問題があり、又図８（ｂ）に示すように側壁部分２ａと受止片４等との嵌合部において隙間Ｓ１が生じ、この隙間Ｓ１から水が浸入する懸念があり、更に側壁部分２ａの下端とターミナルフェンス１の基板上面との間に隙間Ｓ２が生じてガタが生じ易くなり、異音も発生する等の問題があった。
尚、前記受止片４、５に嵌着する側壁部分２ａの内側には、図７に示すようにストッパ用突起２ｃがそれぞれ設けられており、これらの突起２ｃの下端がターミナルフェンス１の基板上面に当接してストッパ機能を果たすようにしてある。
【０００７】
本発明は、上記従来のターミナル保護部材の問題を全て解決するためになされ、ターミナルカバーの取付作業の向上と、ターミナルフェンスに対する嵌合係止部で隙間が生じないようにした電動圧縮機のターミナル保護部材を提供することを目的とする。
【課題を解決するための手段】
【０００８】
上記の目的を達成するための手段として、本発明の請求項１は、電動機構部と、この電動機構部により作動される圧縮機構部とを収納した密閉容器に、前記電動機構部へ通電するためのターミナルが装着され、当該ターミナルの外部電気接続部を保護するためにターミナルフェンスと、このターミナルフェンスに嵌着するターミナルカバーとからなる保護部材が取り付けられた電動圧縮機において、前記ターミナルカバーは、前記ターミナルフェンスに立ち上げた受止片の内側に嵌合係止する側壁部分を備えており、この側壁部分の外側下端部に内向きに傾斜する傾斜面が形成された電動圧縮機のターミナル保護部材を特徴とする。
【０００９】
本発明の請求項２は、請求項１の電動圧縮機のターミナル保護部材において、前記ターミナルカバーの側壁部分は、ターミナルフェンスの受止片に嵌合した際に生じる隙間を閉塞するための突起部が設けられ、この突起部の下方に前記傾斜面が形成されたことを特徴とする。
【００１０】
本発明の請求項３は、請求項１又は２の電動圧縮機のターミナル保護部材において、前記ターミナルカバーの側壁部分は、前記ターミナルフェンスの受止片に嵌合係止した際に下端縁がターミナルフェンスの基板上面に当接するように形成されたことを特徴とする。
【発明の効果】
【００１１】
上記請求項１の発明によれば、密閉容器に装着されたターミナルを保護するために、ターミナルフェンスと、このターミナルフェンスに嵌着するターミナルカバーとからなる保護部材を取り付けた電動圧縮機において、前記ターミナルカバーは、ターミナルフェンスに立ち上げた受止片の内側に嵌合係止する側壁部分を備えており、この側壁部分の外側下端部に内向きに傾斜する傾斜面が形成されているので、ターミナルカバーを嵌着する時に前記傾斜面がガイドとなり円滑に誘導されるため、ターミナルカバーの取付作業がし易くなり、その取付作業能率を向上させることができる。
【００１２】
上記請求項２の発明によれば、前記ターミナルカバーの側壁部分は、ターミナルフェンスの受止片に嵌合した際に生じる隙間を閉塞するための突起部が設けられ、この突起部の下方に前記傾斜面が形成されているので、ターミナルカバーの嵌着時に受止片との間に生じる隙間を前記突起部によって閉塞することができる。これにより、受止片との間に隙間が生じないため水の浸入を抑えることができる。
【００１３】
上記請求項３の発明によれば、前記ターミナルカバーの側壁部分は、前記ターミナルフェンスの受止片に嵌合係止した際に下端縁がターミナルフェンスの上面に当接するように形成されているため、側壁部分の下端とターミナルフェンスの基板上面との間に生じる隙間を閉塞することができる。これにより、ターミナルカバーのガタが生じ難くなり、異音の発生も抑えることができる。又、側壁部分がストッパ機能を果たすため、従来のように側壁部分の内面にストッパ用突起を設ける必要がなくなる。
【発明を実施するための最良の形態】
【００１４】
以下、本発明の実施形態を添付図面に基づいて説明する。
図１は、本発明に係る電動圧縮機のターミナル保護部材の実施形態を示す概略分解斜視図である。図６に示す従来例と実質的に同じ部材は前記と同じ符号を付けて説明する。
【００１５】
図１において、１は鋼板製のターミナルフェンスであり、密閉容器９の蓋体９ａの頂部に装着したターミナル３を貫通固定させて蓋体９ａに取り付けてある。このターミナルフェンス１は、基板１ａの側部に受止片４、５を立ち上げて対設すると共に、受止片４側の側部に小形の受止片６を立ち上げて設け、更に端部には係止片７、８を立ち上げて対設し、これらの係止片７、８には係合孔７ａ、８ａをそれぞれ形成してある。
【００１６】
２は合成樹脂製のターミナルカバーであり、下方に開口する略ボックス形を呈しており、前記ターミナルフェンス１に落とし込んで着脱可能に嵌着することにより保護部材１１（図４）を構成し、この保護部材１１によりターミナル３の外部電気接続部を被覆して保護するようにしてある。
【００１７】
このターミナルカバー２は、図２に示すように前記ターミナルフェンス１の受止片４の内側に嵌合係止する側壁部分２ａは、外側に突起部１２が形成されると共にこの突起部１２の下方に傾斜面１３が内向きに形成されている。この場合、突起部１２も下方に行くにつれて内側に傾斜する傾斜面に形成されている。前記受止片５、６の内側に嵌合係止する側壁部分も同様に、突起部１２と傾斜面１３とがそれぞれ形成されている。又、ターミナルカバー２の対向する端壁の外側下部には前記係止片７、８の係合孔７ａ、８ａにそれぞれ係合する突起２ｂ、２ｃがそれぞれ設けられている。更に、ターミナルカバー２の一方の側面部にはコード引き出し部１４が設けられ、このコード引き出し部１４に対向させてコード受け片１５がほぼＬ字形に突出して設けられ、当該コード受け片１５の上端縁に凹部１５ａが形成されている。
【００１８】
このように構成されたターミナルカバー２は、前記のようにターミナルフェンス１に落とし込んで弾性的に嵌着するが、この嵌着時において前記受止片４、５、６の内側に嵌合係止する側壁部分２ａの下端部には内向きに傾斜する傾斜面１３がそれぞれ形成されているため、この傾斜面１３がガイド作用をなして円滑に嵌り込むことができる。このため、従来のように側壁部分２ａの下端が受止片４等の上端にぶつかってターミナルカバー２の取付作業が妨げられることはなく、その取付作業能率を著しく向上させることができる。
【００１９】
ターミナルカバー２を嵌着すると、図３（ｂ）に示すように側壁部分２ａに設けた突起部１２が受止片４等に密着するため、従来のように受止片４との間に生じる隙間を塞ぐことができる。即ち、側壁部分２ａと受止片４等との間には、隙間が生じないのでこの部分から水が浸入するのを抑えることができる。
【００２０】
又、側壁部分２ａの下端がターミナルフェンス１の基板１ａの上面に当接するように形成することにより、従来のように側壁部分２ａの下端とターミナルフェンス１の基板１ａの上面との間に生じる隙間を塞ぐことができる。このため、ターミナルカバー２のガタが生じ難くなり、異音の発生も抑えることができる。更に、側壁部分２ａがストッパ機能を果たすため、従来のように側壁部分の内面にストッパ用突起２ｃを設ける必要がなくなる。
【００２１】
図４は、上記のようにターミナルフェンス１にターミナルカバー２を嵌着して保護部材１１を形成した状態を示す概略縦断面図である。図１に示すように、前記ターミナル３の導電ピンで形成されている外部電極３ａには電源側からの複数（３本）のコード１６の先端部に取り付けたコネクタ１７が接続され、ターミナルカバー２の内部にはリレー部品１８が収納される。
【００２２】
ターミナルカバー２の嵌着後に、前記コード１６とリレー部品１８に接続された複数（２本）のコード１９をまとめて一束にした状態で、前記コード引き出し部１４から外部に引き出される当該コード群２０をコード受け片１５の先端部を迂回させて、前記凹部１５ａに受止させる。これはコード群と蓋体９ａとの接触を避けるためである。電動圧縮機の使用時においては密閉容器９が高温となるため、コード群２０を高熱から保護する必要がある。
【００２３】
図５（ａ）は、本発明の他の実施形態を示すもので、側壁部分２ａの外側下端部に内向きに傾斜する傾斜面１３を形成した構成のものである。この場合は、受止片４等の立ち上がり基部の内側にできるＲ状湾曲部４ａの干渉を避けるために、側壁部分２ａの外側下端部に内向きの傾斜面１３を設けたものである。
【００２４】
このような構成によれば、図５（ｂ）に示すように側壁部分２ａを受止片４等の内側に嵌合係止した時に、側壁部分２ａの下端が受止片４等における基部のＲ状湾曲部４ａに干渉されない（ぶつからない）で側壁部分２ａの下端をターミナルフェンス１の基板１ａの上面に当接させることができる。
【００２５】
このため、従来側壁部分２ａの下端とターミナルフェンス１の基板１ａの上面との間に生じる隙間Ｓ２を塞ぐことができる。これにより、図８（ｂ）に示す隙間Ｓ２がなくなるため水の浸入を抑えることができ、又ターミナルカバー２のガタツキが生じ難くなり、異音の発生も抑えることができる。更に、側壁部分２ａがストッパ機能を果たすため、従来のように側壁部分の内面にストッパ用突起２ｃを設ける必要がなくなる。尚、この場合も、傾斜面１３によるガイド作用が得られるため、ターミナルカバー２の取付作業がし易くなる。
【産業上の利用可能性】
【００２６】
本発明は、電動圧縮機のターミナル保護部材として広く適用することが可能であり、ターミナルカバーの側壁部分に僅かな変形を加えるだけで容易に実施することができる。
【図面の簡単な説明】
【００２７】
【図１】本発明に係る電動圧縮機のターミナル保護部材の実施形態を示す概略分解斜視図である。
【図２】ターミナルフェンスに対するターミナルカバーの取付要領を示す要部の概略斜視図である。
【図３】ターミナルカバーの側壁部分と、ターミナルフェンスの受止片との嵌合の様子を説明するもので、（ａ）は嵌合前の状態、（ｂ）は嵌合後の状態をそれぞれ示す概略断面図である。
【図４】ターミナルフェンスにターミナルカバーを嵌着してターミナルの保護部材を形成した状態を示す概略縦断面図である。
【図５】本発明の他の実施形態を示すもので、（ａ）はターミナルカバーの側壁部分を示す概略断面図、（ｂ）はターミナルフェンスの受止片にターミナルカバーの側壁部分を嵌合した状態を示す説明図である。
【図６】従来例における電動圧縮機のターミナル保護部材を示す概略分解斜視図である。
【図７】従来例におけるターミナルフェンスに対するターミナルカバーの取付要領を示す要部の概略斜視図である。
【図８】従来例におけるターミナルカバーの側壁部分と、ターミナルフェンスの受止片との嵌合の様子を説明するもので、（ａ）は嵌合前の状態、（ｂ）は嵌合後の状態をそれぞれ示す概略断面図である。
【符号の説明】
【００２８】
１  ターミナルフェンス
２  ターミナルカバー
２ａ  側壁部分
２ｂ、２ｃ  突起
３  ターミナル
４、５、６  受止片
７、８  係止片
９  密閉容器
１１  保護部材
１２  突起部
１３  傾斜面
１４  コード引き出し部
１５  コード受け片
１６  コード
１７  コネクタ
１８  リレー部品
１９  コード
２０  コード群
【図１】
2010013984.tif 000003
【図２】
2010013984.tif 000004
【図３】
2010013984.tif 000005
【図４】
2010013984.tif 000006
【図５】
2010013984.tif 000007
【図６】
2010013984.tif 000008
【図７】
2010013984.tif 000009
【図８】
2010013984.tif 000010